(57)【要約】【課題】流通過程での不正開封防止機能と廃棄処理時の分別回収機能との二つの機能を兼ね備えた不正開封防止及び分別回収機能付キャップを提供する。【解決手段】キャップ本体の周壁前方外周面に縦の封緘板嵌着凹溝を形成し、封緘板嵌着凹溝の下方中央位置に、前方へ傾斜する嵌着凸部を設け、左側中央外周上面周縁部に分別用切断つまみを立設し、分別用切断つまみの下端辺左端から周壁下端に至る縦の薄肉脆弱線を形成し、縦の薄肉脆弱線の上方位置から前方側へ傾斜し周壁下端に至る斜めの薄肉脆弱線を形成し、分別用切断つまみの下端辺右端から周方向前方側へ横の薄肉脆弱線を形成し、蓋の前方に開閉用つばを突設し、開閉用つばの根元で封緘板嵌着凹溝の対応位置に、複数個の脆弱小ブリッジで封緘板を垂設し、封緘板の嵌着凸部の対応位置に嵌着切欠きを設け、蓋の周壁左側中央外周周縁に、下端から上方へ収容凹部を形成する。【選択図】図１
2005231646.tif 000002
【特許請求の範囲】
【請求項１】
プルリングで開口するキャップ本体の後方部に、ヒンジを介して開閉可能に蓋が接続するキャップにおいて、前記キャップ本体の前記ヒンジの対向側の周壁の前方外周面の上端から下端に、縦の封緘板嵌着凹溝を形成し、該封緘板嵌着凹溝の下方の左右中央位置に、前方下方へ傾斜する嵌着凸部を突設し、前記キャップ本体の周壁の左側中央外周上面周縁部に、分別用切断つまみを立設し、該分別用切断つまみの下端辺左端から前記キャップ本体の周壁の下端に達する縦の薄肉脆弱線を形成し、該縦の薄肉脆弱線の上方位置から前方側へ傾斜し前記キャップ本体の周壁の下端に達する斜めの薄肉脆弱線を形成し、前記分別用切断つまみの下端辺右端から前記キャップ本体の周壁の外周上端に沿って周方向前方側へ所定位置まで横の薄肉脆弱線を形成し、前記蓋の前記ヒンジの対向側の前方位置に、開閉用つばを突設し、該開閉用つばの根元中央で前記キャップ本体の封緘板嵌着凹溝の対応位置に、複数個の脆弱小ブリッジを介して、前記封緘板嵌着凹溝に収容可能な湾曲状の封緘板を垂設し、該封緘板の前記キャップ本体の封緘板嵌着凹溝の嵌着凸部の対応位置に、嵌着切欠きを設け、前記蓋の周壁の左側中央外周周縁部の前記キャップ本体の分別用切断つまみの対応位置に、下端から上方へ前記キャップ本体の分別用切断つまみを収容する収容凹部を形成したことを特徴とする不正開封防止及び分別回収機能付キャップ。
【発明の詳細な説明】
【技術分野】
【０００１】
本発明は、プルリングで開封するキャップ本体に蓋がヒンジを介して開閉し、流通過程で不正開封がしにくく、使用後には容器本体から分別回収し易い不正開封防止及び分別回収機能付キャップに関するものである。
【背景技術】
【０００２】
従来、市場の店頭などでの商品の不正開封、例えば、ＰＥＴボトル（ポリエチレンテレフタレートを二軸延伸ブロー成形したボトル）の口頸部には、キャップ本体にヒンジを介して蓋が接続するキャップが装着されているが、このキャップの蓋が、流通過程の店頭などにおいて故意に開けられ、キャップ本体の注出筒に収容されているプルリングを引っ張って、注出筒の内側下方の封鎖板に設けられいる環状薄肉脆弱線を破断してキャップ本体を開封したのち、再度、そのままの状態で蓋をキャップ本体に閉じて、そのまま店頭に戻すと言う悪戯が多く見られていた。また、最近では、環境保全の問題から、使用後のボトルを廃棄処理するときに、材質の異なる各部品を材質ごとに分別して回収する機運が高まって来ていた。このため、キャップに不正開封防止機能をもたせたキャップや、使用済みの容器を廃棄処理するときに、ボトルから分別回収がし易くしたキャップについて、これまでに、数多くの発明や考案がなされて来た。
【発明の開示】
【発明が解決しようとする課題】
【０００３】
しかしながら、ボトルの口頸部に装着されるキャップにおいて、流通過程での不正開封防止機能と廃棄処理時の分別回収機能とを一つキャップで兼ね備えたキャップは、まだ開発されていなかった。
【０００４】
本発明は、上述の従来のキャップの流通時や廃棄処理時の問題点を解決したものであり、流通過程での不正開封防止機能と廃棄処理時の分別回収機能とを二つの機能を兼ね備えた不正開封防止及び分別回収機能付キャップを提供するものである。
【課題を解決するための手段】
【０００５】
すなわち、本発明の発明は、プルリングで開口するキャップ本体の後方部に、ヒンジを介して開閉可能に蓋が接続するキャップにおいて、前記キャップ本体の前記ヒンジの対向側の周壁の前方外周面の上端から下端に、封緘板嵌着凹溝を形成し、該封緘板嵌着凹溝の下方の左右中央位置に、前方下方へ傾斜する嵌着凸部を突設し、前記キャップ本体の周壁の左側中央外周上面周縁部に、分別用切断つまみを立設し、該分別用切断つまみの下端辺左端から前記キャップ本体の周壁の下端に達する縦の薄肉脆弱線を形成し、該縦の薄肉脆弱線の上方位置から前方側へ傾斜し前記キャップ本体の周壁の下端に達する斜めの薄肉脆弱線を形成し、前記分別用切断つまみの下端辺右端から前記キャップ本体の周壁の外周上端に沿って周方向前方側へ所定位置まで横の薄肉脆弱線を形成し、前記蓋の前記ヒンジの対向側の前方位置に、開閉用つばを突設し、該開閉用つばの根元中央で前記キャップ本体の封緘板嵌着凹溝の対応位置に、複数個の脆弱小ブリッジを介して、前記封緘板嵌着凹溝に収容可能な湾曲状の封緘板を垂設し、該封緘板の前記キャップ本体の封緘板嵌着凹溝の嵌着凸部の対応位置に、嵌着切欠きを設け、前記蓋の周壁の左側中央外周周縁部の前記キャップ本体の分別用切断つまみの対応位置に、下端から上方へ前記キャップ本体の分別用切断つまみを収容する収容凹部を形成したことを特徴とする不正開封防止及び分別回収機能付キャップである。
【発明の効果】
【０００６】
本発明の不正開封防止及び分別回収機能付キャップ（１０）は、図３及び図４に示すように、蓋（２００）をキャップ本体（１００）に閉じると、図５又は図４に示すように、蓋（２００）のヒンジの対向側の前方位置に突設する開閉用つば（２３０）の根元の中央位置に複数個の脆弱小ブリッジ（２４１）で接続して垂設する湾曲状の封緘板（２４０）の下方中央に設けられた嵌着切欠き（２４２）が、キャップ本体のヒンジの対向側の周壁（１５０）の前方外周に形成された封緘板嵌着凹溝（１６０）の下方の左右中央位置に突設された嵌着凸部（１６１）に嵌合して嵌着する。このキャップ本体の嵌着凸部は、形状が前方下方へ傾斜しているため、嵌着した蓋の封緘板の嵌着切欠きは、図６（ａ）に示すように、蓋（２００）の開閉用つば（２３０）の根元に垂設する封緘板（２４０）を指で押して（矢印）して、図６（ｂ）に示すように、複数個の脆弱小ブリッジ（２４１）を切断して封緘板（２４０）を取り外さない限りは外すことができない。従って、流通過程で不正にキャップが開封されると、封緘板が必ず脱落していており、不正開封されたことが外観から容易に確認できる。この結果、流通過程での不正開封（悪戯）を防止することができる。
【０００７】
本発明の不正開封防止及び分別回収機能付キャップ（１０）を口頸部に装着したボトル（２０）は、図６（ｂ）に示すように、キャップの湾曲状の封緘板（２４０）を取り外して（矢印）キャップを開封し、ボトルの内容物を使用したのち、ボトルを廃棄処理するときには、図２に示すように、蓋（２００）を開き、キャップ本体（１００）の周壁（１５０）の左側中央外周上面周縁部に立設する分別用切断つまみ（１７０）を、指でつまんで下方前方外側方向へ引っ張ると、分別用切断つまみの下端辺左端から周壁の下端に達する縦の薄肉脆弱線（１５２）、縦の薄肉脆弱線の上方位置から前方側へ傾斜し周壁の下端に達する斜めの薄肉脆弱線（１５３）、分別用切断つまみの下端辺右端から周壁の外周上端に沿って周方向前方側へ設けられた横の薄肉脆弱線（１５４）が切断されて、ボトルの口頸部からキャップが容易に外れて来る。このため、キャップとボトルを材質ごとに分別回収して廃棄することができる。
【０００８】
なお、上述のキャップ本体（１００）の周壁（１５０）の左側中央外周上面周縁部に立設する分別用切断つまみ（１７０）は、図６（ａ）に示すように、キャップ（１０）が未開封の場合には、蓋（２００）の周壁（２２０）の左側中央外周周縁部のキャップ本体の分別用切断つまみの対応位置に、下端から上方へ形成されている収容凹部（２５０）に収容されている。このため、キャップを開封して、蓋をキャップ本体から開かない限りは、分別用切断つまみを、キャップの開封前に、誤って使用することがない。
【発明を実施するための最良の形態】
【０００９】
次に、本発明の不正開封防止及び分別回収機能付キャップの一実施形態について、図を用いて詳細に説明する。
【００１０】
図１は、本実施形態の不正開封防止及び分別回収機能付キャップの蓋を開いた状態の平面図であり、図２は、その左側面図である。図３は、図１のキャップのキャップ本体に蓋を装着したときに平面図であり、図４は、その正面図である。図５は、図３のキャップのＡ−Ａ’線断面図である。図６（ａ）は、未開封の状態の本実施形態の不正開封防止及び分別回収機能付キャップをボトルの口頸部に装着したときの斜視図であり、図６（ｂ）は、そのキャップを開封したときの状態を示す斜視図である。
【００１１】
本実施形態の不正開封防止及び分別回収機能付キャップ（１０）は、図１に示すように、プルリング（１４４）で注出筒（１３０）の内側の封止する封鎖板（１４０）を開口するキャップ本体（１００）に、ヒンジ（３００）を介して開閉可能に蓋（２００）が接続するキャップであり、流通過程時における不正開封防止機能と使用後の廃棄処分時の分別回収機能との二つ機能とを兼ね備えるキャップである。なお、本実施形態のキャップは、
構造上、必要な部分に、脆弱小ブリッジ又は薄肉脆弱線が形成され、これらを、必要なときに、破断する必要があるため、低密度ポリエチレンなどの破断可能な熱可塑性樹脂を用いて、射出成形法によりキャップ本体と蓋とを一体に成形するものである。
【００１２】
本実施形態のキャップ本体（１００）の構造は、図１に示すように、天板（１１０）の周縁部に外周に沿って液垂れ防止リング（１２０）を立設し、その内側の天板に注出筒（１３０）を立設し、この注出筒の内側下方に封鎖板（１４０）を設けて封鎖し、この封鎖板の開口予定位置に、下面に図５に示す環状切込み（１４１）を設けて上面に環状薄肉脆弱線（１４２）を形成し、この環状薄肉脆弱線の内側近傍位置に、先端にプルリング（１４４）をもつ支柱（図示せず）を突設するものであり、そして、図１に示すように、ヒンジ（３００）の対向側の周壁（１５０）の前方外周面の上端から下端に、縦の封緘板嵌着凹溝（１６０）を形成し、この封緘板嵌着凹溝の下方の左右中央位置に、前方が下方へ傾斜する嵌着凸部（１６１）を突設し、キャップ本体（１００）の周壁（１５０）の左側中央外周上面周縁部に、図１及び図２に示す分別用切断つまみ（１７０）を立設し、この分別用切断つまみの下端辺左端から、図２示すように、キャップ本体（１００）の周壁（１５０）の下端に達する縦の薄肉脆弱線（１５２）を形成し、この縦の薄肉脆弱線の上方位置から前方側へ傾斜しキャップ本体の周壁の下端に達する斜めの薄肉脆弱線（１５３）を形成し、分別用切断つまみの下端辺右端からキャップ本体の周壁の外周上端に沿って周方向前方側へ、キャップ本体がボトルの口頸部から取り外し可能な所定位置まで横の薄肉脆弱線（１５４）を形成するものである。
【００１３】
なお、天板（１１０）下面には、図５に示すように、ボトルの口部を封止するためのインナー封止リング（１１１）（外周面を口部内周面に密接）を垂設し、このインナー封止リングの外側にコンタクト封止リング（１１２）（先端を口部天面に密接）を設けるものである。また、周壁（１５０）の下端内周面にボトルとの咬合リング（１５１）を設けるものである。
【００１４】
次に、蓋（２００）の構造は、図１に示すように、天板（２１０）と周壁（２２０）とからなり、天板の下面に、キャップ本体（１００）の注出筒（１３０）を封止するインナー封止リング（２１１）（内周面を注出筒内周面に密接）を垂設し、ヒンジ（３００）の対向側の前方位置に、開閉用つば（２３０）を突設し、図１又は図５に示すように、この開閉用つば（２３０）の根元中央でキャップ本体（１００）の封緘板嵌着凹溝（１６０）の対応位置の周壁（２２０）下面に、複数個の脆弱小ブリッジ（２４１）を介して、封緘板嵌着凹溝に収容可能な湾曲状の封緘板（２４０）を垂設し、この封緘板のキャップ本体の封緘板嵌着凹溝の嵌着凸部（１６１）の対応位置に、嵌着切欠き（２４２）を設け、図１及び図２に示すように、蓋（２００）の周壁（２２０）の左側中央外周周縁部のキャップ本体（１００）の分別用切断つまみ（１７０）と対応位置に、下端から上方へキャップ本体の分別用切断つまみを収容する収容凹部（２５０）を形成するものである。
【００１５】
また、図１及び図５に示すように、周壁（２２０）の内周面下方に、キャップ本体（１００）の液垂れ防止リング（１２０）を封止するコンタクト封止リング（２２１）（先端が液垂れリングの上面に密接）を設けるものである。
【００１６】
図３及び図４に示すように、蓋（２００）をキャップ本体（１００）に閉じると、図５に示すように、蓋（２００）の開閉用つば（２３０）の根元の中央位置の周壁（２２０）下面に、複数個の脆弱小ブリッジ（２４１）で接続して垂設する湾曲状の封緘板（２４０）の下方中央に設けられた嵌着切欠き（２４２）が、キャップ本体の前方外周に形成された封緘板嵌着凹溝（１６０）の下方に突設された嵌着凸部（１６１）に嵌合して嵌着する。この本実施形態の不正開封防止及び分別回収機能付キャップは、内容物を充填したボトルの口頸部に咬合により装着されるものである。ボトルを開封して内容物を注出するとき
は、まず、図６（ａ）に示すように、蓋（１００）の開閉用つば（２３０）の前方根元の中央位置に垂設し、キャップ本体（１００）に嵌着してキャップ（１０）を封緘する封緘板（２４０）を指で押して、接続する複数個の脆弱小ブリッジ脆弱小ブリッジ（２４１）を切断し、図６（ｂ）に示すように、封緘板（２４０）を取り外し、キャップ（１０）を開封して蓋（２００）を後方へ開き、注出筒（１３０）内に収容されているプルリング（１４４）を上方へ引っ張って、注出筒の内側の封鎖板に設けられている環状薄肉脆弱線を破断してボトルを開封し、このボトルを傾斜させて内容物を注出筒から注出するものである。
【００１７】
そして、空になったボトルを廃棄処理するときは、蓋を後方へ開き、キャップ本体の周壁の左側中央外周上面周縁部に立設する図２に示す分別用切断つまみ（１７０）を、指でつまんで下方前方外側方向へ引っ張り、分別用切断つまみの下端辺左端から周壁（１５０）の下端に達する縦の薄肉脆弱線（１５２）、縦の薄肉脆弱線の上方位置から前方側へ傾斜し周壁の下端に達する斜めの薄肉脆弱線（１５３）、分別用切断つまみの下端辺右端から周壁の外周上端に沿って周方向前方側へ設けられた横の薄肉脆弱線（１５４）を切断して、ボトル口頸部からキャップを取り外して分別回収して廃棄するものである。
【図面の簡単な説明】
【００１８】
【図１】本発明の一実施形態の不正開封防止及び分別回収機能付キャップの蓋を開いた状態の平面図である。
【図２】図１のキャップの蓋を開いた状態の左側面図である。
【図３】図１のキャップのキャップ本体に蓋を装着したときに平面図である。
【図４】図１のキャップのキャップ本体に蓋を装着したときに正面図である。
【図５】図３のキャップのＡ−Ａ’線断面図である。
【図６】（ａ）は、未開封の状態の本発明の一実施形態の不正開封防止及び分別回収機能付キャップをボトルの口頸部に装着したときの斜視図であり、（ｂ）は、そのキャップを開封したときの状態を示す斜視図である。
【符号の説明】
【００１９】
１０……キャップ
２０……ボトル
１００……キャップ本体
１１０，２１０……天板
１１１，２１１……インナー封止リング
１１２，２２１……コンタクト封止リング
１２０……液垂れ防止リング
１２１，１５１，２２２……咬合リング
１３０……注出筒
１４０……封鎖板
１４１……環状切込み
１４２……環状薄肉脆弱線
１４４……プルリング
１５０，２２０……周壁
１５２……縦の薄肉脆弱線
１５３……斜めの薄肉脆弱線
１５４……横の薄肉脆弱線
１６０……封緘板嵌着凹溝
１６１……嵌着凸部
１７０……分別用切断つまみ
２００……蓋
２３０……開閉用つば
２４０……封緘板
２４１……脆弱小ブリッジ
２４２……嵌着切欠き
２５０……収容凹部
３００……ヒンジ
【図１】
2005231646.tif 000003
【図２】
2005231646.tif 000004
【図３】
2005231646.tif 000005
【図４】
2005231646.tif 000006
【図５】
2005231646.tif 000007
【図６】
2005231646.tif 000008